(57)【要約】【課題】更新に際し、負荷に対する安定的な電力供給を継続可能とするとともに、作業負担を軽減することができる無停電電源装置及びその更新方法を提供する。【解決手段】無停電電源装置１０において、参照交流２９Ａを入力しこの参照交流２９Ａの位相に同期した出力交流１５ＢをＤＣ／ＡＣインバータ１４Ｂに出力させる同期信号１６Ａを生成する同期信号生成部１７Ａと、第１設定で出力交流１５Ａを負荷２０Ａと接続する第１出力端２１Ａに出力させ第２設定で外部から入力端２３Ａに入力された交流（出力交流１５Ｂ）を第１出力端２１Ａに出力させる第１スイッチ１９Ａと、受信端子２６ＢからＤＣ／ＡＣインバータ１４Ｂに出力される同期信号１６ＡをＯＦＦ／ＯＮするために第１状態／第２状態に切り替えられる第２スイッチ２７Ｂと、を備える。【選択図】  図１
2016163527.tif 000002
【特許請求の範囲】
【請求項１】
第１入力交流をＡＣ／ＤＣコンバータで変換した直流を出力交流に変換するＤＣ／ＡＣインバータと、
参照交流を入力し、この参照交流の位相に同期した出力交流を他の無停電電源装置のＤＣ／ＡＣインバータに出力させる同期信号を生成する同期信号生成部と、
前記同期信号を外部送信する送信端子と、
第１設定で前記第１入力交流に基づく出力交流を負荷と接続する第１出力端に出力させ、第２設定で外部から入力端に入力された交流を前記第１出力端に出力させる第１スイッチと、
前記第１出力端とは別個に設けられ、前記第１スイッチからの出力交流を外部に出力する第２出力端と、
外部の同期信号を受信する受信端子と、
前記受信端子から前記ＤＣ／ＡＣインバータに出力される前記外部の同期信号をＯＦＦ／ＯＮするために第１状態／第２状態に切り替えられる第２スイッチと、を備えることを特徴とする無停電電源装置。
【請求項２】
請求項１に記載の無停電電源装置において、
前記参照交流は、前記出力交流であって、
前記ＤＣ／ＡＣインバータに対し前記ＡＣ／ＤＣコンバータと並列接続されるバッテリーを、さらに備えることを特徴とする無停電電源装置。
【請求項３】
請求項１に記載の無停電電源装置において、
前記参照交流は、前記第１入力交流とは別個の電源から供給された第２入力交流であって、
第２スイッチは、前記第１状態で前記同期信号生成部が生成した前記同期信号を前記ＤＣ／ＡＣインバータに出力し、前記第２状態で前記受信端子が受信した同期信号を前記ＤＣ／ＡＣインバータに出力し、
さらに、少なくとも前記第１入力交流の異常を示す検知信号に基づいて前記第１スイッチへの出力を前記出力交流から前記第２入力交流に切り替える無瞬断切替スイッチを備えることを特徴とする無停電電源装置。
【請求項４】
請求項１から請求項３のいずれか１項に記載の無停電電源装置が複数配置されてなるシステムを構成するいずれか一つの前記無停電電源装置の更新方法において、
更新対象となる無停電電源装置の送信端子と補助主体となる無停電電源装置の受信端子とをケーブル接続するステップと、
更新対象となる無停電電源装置の入力端と補助主体となる無停電電源装置の第２出力端とをケーブル接続するステップと、
前記補助主体となる無停電電源装置の前記第２スイッチを第１状態から第２状態に切り替えて、前記補助主体となる無停電電源装置の出力交流を、前記更新対象となる無停電電源装置の出力交流に、位相同期させるステップと、
前記更新対象となる無停電電源装置の前記第１スイッチを前記第１設定から前記第２設定に切り替えて、前記補助主体となる無停電電源装置の出力交流を、前記更新対象となる無停電電源装置の前記負荷に出力させるステップと、
前記更新対象となる無停電電源装置を更新するステップと、
前記更新後の無停電電源装置の前記第１スイッチを前記第２設定から前記第１設定に切り替えて、内部出力した前記出力交流を対応する前記負荷に出力させるステップと、を含むことを特徴とする無停電電源装置の更新方法。
【発明の詳細な説明】
【技術分野】
【０００１】
本発明の実施形態は、負荷に交流電力を安定供給させる無停電電源装置及びその更新方法に関する。
【背景技術】
【０００２】
無停電電源装置とは、停電や瞬停などの電源トラブルが発生した場合であっても、コンピュータやその他制御機器等の負荷に、高品質な電力を安定供給するものである。
無停電電源装置は、定期的に消耗品の交換をしたり、新規なものにリプレイスしたりすることが求められる。
このような無停電電源装置の更新をするにあたり、負荷に対する電力供給を停止せずに、作業をすすめることが求められる場合がある。
【先行技術文献】
【特許文献】
【０００３】
【特許文献１】特開平４−２８１３４３号公報
【発明の概要】
【発明が解決しようとする課題】
【０００４】
そのためには、更新対象の無停電電源装置の近傍に仮設給電盤等を設置して、この仮設給電盤から負荷に対する電力供給を継続させて更新作業を行うことが考えられる。
しかし、そのような仮設給電盤を設置する場合、スペース確保が困難であったり、費用や工期等の運用面における負担が大きかったりする課題がある。
さらに、更新対象の無停電電源装置から供給される交流と仮設給電盤から供給される交流とが同位相でない場合は、供給切替の際に横流が発生し、負荷にダメージを与えたり又は誤動作を生じさせたりすることが懸念される。
【０００５】
本発明の実施形態はこのような事情を考慮してなされたもので、更新に際し、負荷に対する安定的な電力供給を継続可能とするとともに、作業負担を軽減することができる無停電電源装置及びその更新方法を提供することを目的とする。
【課題を解決するための手段】
【０００６】
実施形態にかかる無停電電源装置において、第１入力交流をＡＣ／ＤＣコンバータで変換した直流を出力交流に変換するＤＣ／ＡＣインバータと、参照交流を入力しこの参照交流の位相に同期した出力交流を他の無停電電源装置のＤＣ／ＡＣインバータに出力させる同期信号を生成する同期信号生成部と、前記同期信号を外部送信する送信端子と、第１設定で前記第１入力交流に基づく出力交流を負荷と接続する第１出力端に出力させ第２設定で外部から入力端に入力された交流を前記第１出力端に出力させる第１スイッチと、前記第１出力端とは別個に設けられ前記第１スイッチからの出力交流を外部に出力する第２出力端と、外部の同期信号を受信する受信端子と、前記受信端子から前記ＤＣ／ＡＣインバータに出力される前記外部の同期信号をＯＦＦ／ＯＮするために第１状態／第２状態に切り替えられる第２スイッチと、を備えることを特徴とする。
【０００７】
さらに無停電電源装置が複数配置されてなるシステムを構成するいずれか一つの前記無停電電源装置の更新方法において、更新対象となる無停電電源装置の送信端子と補助主体となる無停電電源装置の受信端子とをケーブル接続するステップと、更新対象となる無停電電源装置の入力端と補助主体となる無停電電源装置の第２出力端とをケーブル接続するステップと、前記補助主体となる無停電電源装置の前記第２スイッチを第１状態から第２状態に切り替えて、前記補助主体となる無停電電源装置の出力交流を、前記更新対象となる無停電電源装置の出力交流に、位相同期させるステップと、前記更新対象となる無停電電源装置の前記第１スイッチを前記第１設定から前記第２設定に切り替えて、前記補助主体となる無停電電源装置の出力交流を、前記更新対象となる無停電電源装置の前記負荷に出力させるステップと、前記補助主体となる無停電電源装置の前記第２スイッチを第２状態から第１状態に切り替えるステップと、前記更新対象となる無停電電源装置を更新するステップと、前記更新後の無停電電源装置の前記第１スイッチを前記第２設定から前記第１設定に切り替えて、内部出力した前記出力交流を前記負荷に出力させるステップと、を含むことを特徴とする。
【発明の効果】
【０００８】
本発明の実施形態により、更新に際し、負荷に対する安定的な電力供給を継続可能とするとともに、作業負担を軽減することができる無停電電源装置及びその更新方法が提供される。
【図面の簡単な説明】
【０００９】
【図１】本発明の第１実施形態に係る無停電電源装置の構成図。
【図２】各実施形態に係る無停電電源装置の更新方法を説明するフローチャート。
【図３】本発明の第２実施形態に係る無停電電源装置の構成図。
【発明を実施するための形態】
【００１０】
（第１実施形態）
以下、本発明の実施形態を添付図面に基づいて説明する。
図１に示すように第１実施形態に係る無停電電源装置１０（１０Ａ，１０Ｂ）は、それぞれラック等の筐体内部に共通の構成要素を実装しており、図示されない無停電電源装置も含めて複数が配列してなるシステムを構成している。
【００１１】
以下において、説明の便宜上、更新対象を無停電電源装置１０Ａとし、更新作業の補助を行う補助主体を無停電電源装置１０Ｂとしている。
また、説明を理解する上で無停電電源装置１０及びその構成要素を、更新対象及び補助主体に分ける必要がある場合は、符号に「Ａ」「Ｂ」を添えるが、特に必要がない場合は省略する。
【００１２】
各々の無停電電源装置１０は、個別に対応している電力供給ポート（図示略）から第１入力交流１１の供給を受け、個別に対応している負荷２０に出力交流１５を供給する。
ここで、負荷２０は、コンピュータ、モータ、その他制御機器等が挙げられるが、特に限定はなく、交流電力を消費する電気機器であれば特に限定されない。
【００１３】
第１実施形態に係る無停電電源装置１０は、第１入力交流１１ＡをＡＣ／ＤＣコンバータ１２Ａで変換した直流１３Ａを出力交流１５Ａに変換するＤＣ／ＡＣインバータ１４Ａと、この出力交流１５Ａを参照交流２９Ａとして入力しこの参照交流２９Ａの位相に同期した出力交流１５Ｂを他の無停電電源装置１０ＢのＤＣ／ＡＣインバータ１４Ｂに出力させる同期信号１６Ａを生成する同期信号生成部１７Ａと、同期信号１６Ａを外部送信する送信端子１８Ａと、第１設定で第１入力交流１１Ａに基づく出力交流１５Ａを負荷２０Ａと接続する第１出力端２１Ａに出力させ第２設定で外部から入力端２３Ａに入力された交流（出力交流１５Ｂ）を第１出力端２１Ａに出力させる第１スイッチ１９Ａと、第１出力端２１Ｂとは別個に設けられケーブル２４に接続される他の無停電電源装置１０Ａの入力端２３Ａに対し、第１スイッチ１９Ｂからの出力交流１５Ｂを出力する第２出力端２２Ｂと、ケーブル２５に接続される他の無停電電源装置１０Ａの送信端子１８Ａから同期信号１６Ａを受信する受信端子２６Ｂと、この受信端子２６ＢからＤＣ／ＡＣインバータ１４Ｂに出力される同期信号１６ＡをＯＦＦ／ＯＮするために第１状態／第２状態に切り替えられる第２スイッチ２７Ｂと、を備えている。
さらに第１実施形態に係る無停電電源装置１０には、ＤＣ／ＡＣインバータ１４に対しＡＣ／ＤＣコンバータ１２と並列接続されるバッテリー２８が備えられている。
【００１４】
ＡＣ／ＤＣコンバータ１２は、外部の電力供給ポート（図示略）から供給される第１入力交流１１を直流１３に変換し、ＤＣ／ＡＣインバータ１４に出力するものである。
バッテリー２８は、例えばリチウムイオン電池等の充電可能な二次電池であり、ＤＣ／ＡＣインバータ１４に対し、ＡＣ／ＤＣコンバータ１２と並列接続されている。
このため、停電等により第１入力交流１１の供給が停止した場合、ＡＣ／ＤＣコンバータ１２に代わり、ＤＣ／ＡＣインバータ１４に対し、一定時間、直流１３を供給して負荷２０の運転を継続させる。
そして、第１入力交流１１の供給が回復すると、バッテリー２８からの直流の供給は停止して、バッテリー２８は充電モードに入る。
【００１５】
ＤＣ／ＡＣインバータ１４は、制御回路（図示略）により制御されることにより、ＡＣ／ＤＣコンバータ１２又はバッテリー２８から出力された直流１３を所定の周波数の出力交流１５に変換することができる。そして、この出力交流１５の位相は、この制御回路（図示略）に入力される同期信号１６に基づいて、調整することができる。
【００１６】
同期信号生成部１７は、任意位相の参照交流２９が入力すると、この参照交流２９の位相情報を含む同期信号１６を生成し出力する。ＤＣ／ＡＣインバータ１４は、この同期信号１６を入力して、参照交流２９と位相が同期している出力交流１５を出力する。
【００１７】
第１実施形態において参照交流２９は、更新対象側の出力交流１５Ａである。
第１実施形態において、無停電電源装置１０が通常運転されている場合に、同期信号１６は利用されない。そして、無停電電源装置１０Ａの更新作業に移行する場合、この更新対象側の送信端子１８Ａと補助主体側の受信端子２６Ｂとがケーブル２５で接続される。
そして、更新対象側で発生させた同期信号１６は、補助主体側において利用される。
【００１８】
補助主体側の第２スイッチ２７Ｂが、第１状態（ＯＦＦ）から第２状態（ＯＮ）に切り替えられると、更新対象側の送信端子１８Ａから同期信号１６が、ケーブル２５を介して補助主体側の受信端子２６Ｂに外部送信される。
この同期信号１６は、補助主体側のＤＣ／ＡＣインバータ１４Ｂで生成される出力交流１５Ｂの位相を、更新対象側の出力交流１５Ａに同期させる。
【００１９】
なお、同期信号１６は、ＤＣ／ＡＣインバータ１４に短期間入力するだけで、出力交流１５の位相を変更させることができる。
そして、同期信号１６の入力が無い状態において、ＤＣ／ＡＣインバータ１４は、位相を変更させることなく出力交流１５を出力し続ける。
【００２０】
第１スイッチ１９は、無停電電源装置１０の通常運転時において、第１設定になっている。第１スイッチ１９が第１設定だと、ＤＣ／ＡＣインバータ１４から出力される出力交流１５は、同じ装置内の第１出力端２１を介して負荷２０に出力される。
【００２１】
第２出力端２２は、第１出力端２１と同じ交流電力を出力する。
更新対象である無停電電源装置１０Ａを更新する場合、この更新対象側の入力端２３Ａと補助主体側の第２出力端２２Ｂとをケーブル２４で接続する。
そして、更新対象側の第１スイッチ１９Ａを第１設定から第２設定に切り替えると、補助主体側の出力交流１５Ｂが、ケーブル２４を介して更新対象側の負荷２０Ａに出力される。
【００２２】
このように、更新対象側の第１スイッチ１９Ａが第１設定から第２設定に切り替わることで、負荷２０Ａへの供給電力は、出力交流１５Ａから出力交流１５Ｂに切り替わる。
このときに、この出力交流１５Ｂの位相は、出力交流１５Ａに同期されているために、切り替え時に横流は発生しない。
これにより、更新対象側の負荷２０Ａに対して安定した電力供給を継続しつつ無停電電源装置１０Ａの更新作業に着手することができる。
【００２３】
図２のフローチャートに基づいて、第１実施形態に係る無停電電源装置の更新方法を説明する（適宜、図１参照）。
システムにおいて複数配置されている無停電電源装置１０（１０Ａ，１０Ｂ…）のうち無停電電源装置１０Ａを更新対象として無停電電源装置１０Ｂを補助主体として選定する（Ｓ１１）。
更新対象側の送信端子１８Ａと補助主体側の受信端子２６Ｂとをケーブル２５で接続し、さらに更新対象側の入力端２３Ａと補助主体側の第２出力端２２Ｂとをケーブル２４で接続する（Ｓ１２）。
【００２４】
補助主体側の第２スイッチ２７Ｂを第１状態から第２状態に切り替えて、更新対象側で生成した同期信号１６を、補助主体側のＤＣ／ＡＣインバータ１４Ｂに送信する（Ｓ１３）。これにより、補助主体側の出力交流１５Ｂは、更新対象側の出力交流１５Ａに、位相同期される（Ｓ１４）。
【００２５】
次に更新対象側の第１スイッチ１９Ａを第１設定から第２設定に切り替えて（Ｓ１５）、補助主体側の出力交流１５Ｂを融通して、更新対象側の負荷２０Ａに出力させる（Ｓ１６）。なお、更新作業の期間において（Ｓ１７ Ｎｏ）、補助主体側の出力交流１５Ｂは、更新対象側の負荷２０Ａ及び補助主体側の負荷２０Ｂの両方に出力される。
そして、更新対象となる無停電電源装置の更新作業を終了したところで（Ｓ１７Ｎｏ）、更新後の第１スイッチ１９Ａを第２設定から第１設定に戻して（Ｓ１８）、再び更新対象側の出力交流１５Ａを対応する負荷２０Ａに出力させる（Ｓ１９ ＥＮＤ）。
【００２６】
この一連の更新作業において、更新対象側の第１スイッチ１９の切り替え前後において、出力交流１５の位相変動がないために、負荷２０Ａに安定電力を継続して出力することができる。さらに、更新を行う上で、広い作業スペースを必要としない。
【００２７】
（第２実施形態）
図３に示すように第２実施形態に係る無停電電源装置３０（３０Ａ，３０Ｂ）は、それぞれラック等の筐体内部に共通の部品を実装しており、図示されないものも含めて複数のものを配列させてなるシステムを構成している。
各々の無停電電源装置３０は、第１入力交流３１及び第２入力交流３２の供給を受けている。第１入力交流３１及び第２入力交流３２は、それぞれ別々の電源から供給されており、いずれか一方のトラブルに対し相互にバックアップしあう体制を敷いている。
【００２８】
このため、別々の電源（図示略）から供給される第１入力交流３１及び第２入力交流３２の各々は、互いに電力波形の位相が必ずしも一致していない。
また、第２実施形態において、第１実施形態と共通する構成は、図３において図１と共通の符号を付して、重複する説明を省略する。
【００２９】
第２実施形態に係る無停電電源装置３０は、第１入力交流３１ＡをＡＣ／ＤＣコンバータ１２Ａで変換した直流１３Ａを出力交流１５Ａに変換するＤＣ／ＡＣインバータ１４Ａと、第２入力交流３２Ａを参照交流２９Ａとして入力しこの参照交流２９Ａの位相に同期した出力交流１５Ｂを他の無停電電源装置３０ＢのＤＣ／ＡＣインバータ１４Ｂに出力させる同期信号１６Ａを生成する同期信号生成部１７Ａと、同期信号１６Ａを外部送信する送信端子１８Ａと、少なくとも第１入力交流３１Ａの異常を示す検知信号３５Ａに基づいて第１スイッチ１９Ａへの出力を出力交流１５Ａから第２入力交流３２Ａに切り替える無瞬断切替スイッチ３３Ａと、第１設定で無瞬断切替スイッチ３３の出力を負荷２０Ａと接続する第１出力端２１Ａに出力させ第２設定で外部から入力端２３Ａに入力された交流（出力交流１５Ｂ）を第１出力端２１Ａに出力させる第１スイッチ１９と、第１出力端２１Ｂとは別個に設けられケーブル２４に接続される他の無停電電源装置３０Ａの入力端２３Ａに対し第１スイッチ１９Ｂからの出力交流１５Ｂを出力する第２出力端２２Ｂと、ケーブル２５に接続される他の無停電電源装置３０Ａの送信端子１８Ａから同期信号１６Ａを受信する受信端子２６Ｂと、この受信端子２６ＢからＤＣ／ＡＣインバータ１４Ｂに出力される同期信号１６ＡをＯＦＦ／ＯＮするために第１状態／第２状態に切り替えられる第２スイッチ３７Ｂと、を備えている。
そして、この第２スイッチ３７Ｂは、第１状態で同期信号生成部１７Ｂが生成した同期信号１６をＤＣ／ＡＣインバータ１４Ｂに出力し、第２状態で受信端子２６Ｂが受信した同期信号１６をＤＣ／ＡＣインバータ１４Ｂに出力する。
【００３０】
第２実施形態において参照交流２９は、無停電電源装置１０の各々に入力されている第２入力交流３２である。
無停電電源装置３０の通常運転時に、第２スイッチ３７は、第１状態に設定されており、この参照交流２９は、同じ装置内のＤＣ／ＡＣインバータ１４に出力される。
これにより、無停電電源装置３０の出力交流１５は、同じ装置内に入力される第２入力交流３２と位相同期をとって無瞬断切替スイッチ３３に出力されることになる。
【００３１】
異常検知回路３４は、第１入力交流３１の停電又は瞬停や、ＡＣ／ＤＣコンバータ１２及びＤＣ／ＡＣインバータ１４の少なくとも一方の故障に伴う出力交流１５の異常を検知すると、検知信号３５を出力するものである。
無瞬断切替スイッチ３３は、検知信号３５を入力すると、第１スイッチ１９への出力を出力交流１５から第２入力交流３２に切り替える。
この切り替え時において、出力交流１５の位相は第２入力交流３２の位相に同期されているため、横流の発生はなく、通常運転時に停電や瞬停が発生しても負荷２０に対して安定した電力供給を継続することができる。
【００３２】
ここで、更新対象である無停電電源装置３０Ａの更新作業に移行する場合、この更新対象の送信端子１８Ａと、補助主体の受信端子２６Ｂとをケーブル２５で接続する。
そして、補助主体側の第２スイッチ３７Ｂが、第１状態から第２状態に切り替えられると、更新対象側の送信端子１８Ａから同期信号１６が、ケーブル２５を介して補助主体側の受信端子２６Ｂに外部送信される。
この同期信号１６は、補助主体側のＤＣ／ＡＣインバータ１４Ｂで生成される出力交流１５Ｂの位相を、更新対象側の第２入力交流３２Ａの位相に同期させる。
【００３３】
第１スイッチ１９は、無停電電源装置１０の通常運転時において、第１設定になっている。第１スイッチ１９が第１設定だと、無瞬断切替スイッチ３３から出力される出力交流１５（又は第２入力交流３２Ａ）は、同じ装置内の第１出力端２１を介して負荷２０に出力される。
【００３４】
更新対象である無停電電源装置３０Ａを更新する場合、この更新対象側の入力端２３Ａと補助主体側の第２出力端２２Ｂとがケーブル２４で接続される。
そして、更新対象側の第１スイッチ１９Ａを第１設定から第２設定に切り替えると、補助主体側の出力交流１５Ｂが、ケーブル２４を介して更新対象側の負荷２０Ａに出力される。
【００３５】
このように、更新対象側の第１スイッチ１９Ａが第１設定から第２設定に切り替わることで、負荷２０Ａへの供給電力は、出力交流１５Ａから出力交流１５Ｂに切り替わる。しかし、この出力交流１５Ｂの位相は、出力交流１５Ａを同期した第２入力交流３２Ａに同期されているために、切り替え時に横流の発生はない。
これにより、負荷２０Ａに対して安定した電力供給を継続しつつ無停電電源装置３０Ａの更新作業に着手することができる。
【００３６】
第２実施形態に係る無停電電源装置の更新方法のフローは、図２のフローチャートに基づく説明のうち無停電電源装置１０を無停電電源装置３０に読み替えて、引用することができる。
【００３７】
以上述べた少なくともひとつの実施形態の無停電電源装置によれば、更新対象となる無停電電源装置の負荷に、その他の無停電電源装置の出力交流を位相同期をとって融通させることにより、更新に際し、負荷に対する安定的な電力供給を継続可能とするとともに、作業負担を軽減することができる。
【００３８】
本発明のいくつかの実施形態を説明したが、これらの実施形態は、例として提示したものであり、発明の範囲を限定することは意図していない。これら実施形態は、補助主体となる様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００３９】
１０（１０Ａ，１０Ｂ）、３０（３０Ａ，３０Ｂ）…無停電電源装置、１１（１１Ａ，１１Ｂ），３１（３１Ａ，３１Ｂ）…第１入力交流、１２…ＡＣ／ＤＣコンバータ、１３…直流、１４（１４Ａ，１４Ｂ）…ＤＣ／ＡＣインバータ、１５（１５Ａ，１５Ｂ）…出力交流、１６…同期信号、１７（１７Ａ，１７Ｂ）…同期信号生成部、１８（１８Ａ，１８Ｂ）…送信端子、１９（１９Ａ，１９Ｂ）…第１スイッチ、２０（２０Ａ，２０Ｂ）…負荷、２１（２１Ａ，２１Ｂ）…第１出力端、２２（２２Ａ，２２Ｂ）…第２出力端、
２３（２３Ａ，２３Ｂ）…入力端、２４，２５…ケーブル、２６（２６Ａ，２６Ｂ）…受信端子、２７（２７Ａ，２７Ｂ）、３７（３７Ａ，３７Ｂ）…第２スイッチ、２８…バッテリー、２９…参照交流、３２（３２Ａ，３２Ｂ）…第２入力交流、３３…無瞬断切替スイッチ、３４…異常検知回路、３５…検知信号。
【図１】
2016163527.tif 000003
【図２】
2016163527.tif 000004
【図３】
2016163527.tif 000005